(57)【要約】【課題】光学シートが伸長した場合においても、当該光学シートを安定して保持する。【解決手段】バックライト２０は、光学シート２Ａと、押圧部２１Ｆｘとを備える。押圧部２１Ｆｘは、光学シート２Ａが伸長した場合、伸長した当該光学シート２Ａの突起２ｘと接触することにより当該突起２ｘを保持する保持部２１Ｆｒを有する。【選択図】図８
2016207329.tif 000002
【特許請求の範囲】
【請求項１】
光を出射する光源と、
前記光源が出射する前記光を透過させる光学シートと、
前記光学シートを保持する筐体と、
押圧部と、を備え、
前記光学シートは、突起を有し、
前記押圧部は、当該押圧部の少なくとも一部が前記光学シートの前記突起と接触することにより、当該突起を変形させるように設けられ、
前記押圧部は、
前記光学シートが伸長した場合、伸長した当該光学シートの前記突起と接触することにより当該突起を保持する保持部を有する
バックライト。
【請求項２】
前記押圧部は、前記筐体に設けられる
請求項１に記載のバックライト。
【請求項３】
平面視における前記筐体の輪郭の形状は、矩形であり、
平面視において、前記押圧部は、前記筐体の角部に設けられる
請求項２に記載のバックライト。
【請求項４】
平面視における前記筐体の輪郭の形状は、矩形であり、
平面視において、前記押圧部は、前記筐体が示す前記矩形の一辺側に設けられる
請求項２に記載のバックライト。
【請求項５】
前記バックライトは、さらに、
前記押圧部を有し、かつ、光を反射させるための反射シートを備える
請求項１に記載のバックライト。
【請求項６】
前記突起は、前記光学シートが延在する方向であって、かつ、当該光学シートの周辺の方向へ向かって突出するように設けられる
請求項１から５のいずれか１項に記載のバックライト。
【請求項７】
平面視における前記突起の形状は、Ｔ字状である
請求項６に記載のバックライト。
【請求項８】
前記突起の根元には、切り欠きが設けられる
請求項１から７のいずれか１項に記載のバックライト。
【請求項９】
前記突起は、平面視面において、前記押圧部が設けられる領域と重なる領域に設けられる
請求項１から８のいずれか１項に記載のバックライト。
【請求項１０】
請求項１から９のいずれか１項に記載のバックライトを備え、
前記バックライトが出射する光を使用して映像を表示する表示装置。
【発明の詳細な説明】
【技術分野】
【０００１】
本発明は、光学シートに関する構造を有するバックライトおよび表示装置に関する。
【背景技術】
【０００２】
近年の情報電子機器の普及に伴い、バックライトを使用した、薄型および軽量の表示装置が様々な分野で使用されつつある。例えば、当該表示装置は、携帯電話のディスプレイ、パソコン用のディスプレイ、産業用途で使用される各種の装置のディスプレイ、車載用の表示器、ハンディ端末のディスプレイ、広告表示器等として使用されている。
【０００３】
また、表示装置が使用される分野が広がった事により、当該表示装置が過酷な環境下で使用される場合も多くなっている。例えば、表示装置は、振動する装置のディスプレイとして使用される場合が増えてきている。当該振動する装置は、例えば、車載用のディスプレイよりも強い振動が発生する建設機械、インパクトを与える演出を行うアミューズメント機器等である。
【０００４】
しかしながら、表示装置が振動した場合、当該表示装置が備える光学シートが動いてしまう場合がある。光学シートが動いた場合、当該光学シートに傷がつき、表示装置が表示する映像の質が低下するという問題が発生する。
【０００５】
上記問題の対策として、例えば、粘着材等を使用して光学シートを固定する方法がある。しかしながら、過酷な環境下で表示装置が使用された場合、粘着材は経年劣化により粘着力が低下する。そのため、当該粘着力の低下により、光学シートが剥がれる場合がある。したがって、粘着材を使用して光学シートを固定する方法は、信頼性に欠ける。また、粘着材を使用する事は、コストアップの起因となる。
【０００６】
特許文献１では、粘着材を使用せずに、フィルム状の光学部材（光学シート）を固定する技術（以下、「関連技術Ａ」ともいう）が開示されている。具体的には、関連技術Ａでは、導光部材に、傾斜面としての光学部材支持面が形成される。また、導光部材を保持するフレームに、当該導光部材の光学部材支持面と対向する光学部材支持面が形成される。この構成において、導光部材の光学部材支持面とフレームの光学部材支持面とで、光学部材の周縁部（延出部）を挟むことにより、光学部材（光学シート）が固定される。
【先行技術文献】
【特許文献】
【０００７】
【特許文献１】特開２０１１−０２９０４５号公報
【発明の概要】
【発明が解決しようとする課題】
【０００８】
一般的に、光学シートは、当該光学シートの周囲の温度の変化により、伸長する場合がある。そのため、光学シートが伸長した場合においても、当該光学シートが安定して保持されることが要求される。上記の関連技術Ａでは、当該要求を満たすことができない。
【０００９】
本発明は、このような問題を解決するためになされたものであり、光学シートが伸長した場合においても、当該光学シートを安定して保持することが可能なバックライト等を提供することを目的とする。
【課題を解決するための手段】
【００１０】
上記目的を達成するために、本発明の一態様に係るバックライトは、光を出射する光源と、前記光源が出射する前記光を透過させる光学シートと、前記光学シートを保持する筐体と、押圧部と、を備え、前記光学シートは、突起を有し、前記押圧部は、当該押圧部の少なくとも一部が前記光学シートの前記突起と接触することにより、当該突起を変形させるように設けられ、前記押圧部は、前記光学シートが伸長した場合、伸長した当該光学シートの前記突起と接触することにより当該突起を保持する保持部を有する。
【発明の効果】
【００１１】
本発明によれば、バックライトは、光学シートと、押圧部とを備える。前記押圧部は、前記光学シートが伸長した場合、伸長した当該光学シートの前記突起と接触することにより当該突起を保持する保持部を有する。
【００１２】
これにより、光学シートが伸長した場合、保持部により、突起が保持される。そのため、光学シートが伸長した場合においても、当該光学シートを安定して保持することができる。
【図面の簡単な説明】
【００１３】
【図１】本発明の実施の形態１に係る表示装置の分解斜視図である。
【図２】本発明の実施の形態１に係るバックライトの斜視図である。
【図３】本発明の実施の形態１に係るバックライトの一部の拡大図である。
【図４】本発明の実施の形態１に係るバックライトの別の一部の拡大図である。
【図５】本発明の実施の形態１に係る光学シートの構成を説明するための図である。
【図６】筐体の特徴的な構成を説明するための図である。
【図７】本発明の実施の形態１に係るバックライトの一部の断面図である。
【図８】押圧部の保持部を説明するための図である。
【図９】突起無し領域の構成を示す図である。
【図１０】本発明の実施の形態１の変形例に係る光学シートの構成を説明するための図である。
【図１１】本発明の実施の形態２に係る表示装置に含まれるバックライトの一部の断面図である。
【発明を実施するための形態】
【００１４】
以下、この発明の実施の形態を図に基づいて説明する。以下の説明では、同一の構成要素には同一の符号を付してある。それらの名称および機能も同じである。したがって、それらについての詳細な説明を省略する場合がある。
【００１５】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００１６】
＜実施の形態１＞
（表示装置の全体の構成）
図１は、本発明の実施の形態１に係る表示装置１００の分解斜視図である。表示装置１００は、例えば、液晶を利用して映像を表示する液晶表示装置である。なお、表示装置１００は、液晶表示装置に限定されず、他の方式の表示装置であってもよい。表示装置１００は、例えば、有機ＥＬ（Electroluminescence）ディスプレイであってもよい。
【００１７】
図１において、Ｘ方向、Ｙ方向およびＺ方向の各々は、互いに直交する。以下の図に示されるＸ方向、Ｙ方向およびＺ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１８】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００１９】
図１を参照して、表示装置１００は、表示パネル１０と、バックライト２０と、筐体３と、回路基板４とを備える。なお、詳細は後述するが、表示装置１００は、バックライト２０が出射する光を使用して映像を表示する。
【００２０】
バックライト２０は、光を出射する装置である。バックライト２０は、表示パネル１０の背面へ光を照射する。筐体３の内部には、表示パネル１０およびバックライト２０が配置される。筐体３は、開口３Ｈを有する。なお、図１では、図の簡略化のため、開口３Ｈを介して見える、表示パネル１０の一部の記載は省略している。
【００２１】
表示パネル１０は、例えば、液晶パネルである。表示パネル１０は、映像を表示する。なお、表示パネル１０のうち映像を表示する面側には、タッチパネル（図示せず）が設けられる。タッチパネルは、ユーザによるタッチ操作を受け付けるためのパネルである。当該タッチ操作は、タッチパネルにユーザが触れる操作である。タッチパネルは、当該タッチパネルにおいてユーザが触れた位置を示す位置信号を受信する。
【００２２】
また、タッチパネルの表面には、透明の保護部材が設けられる。当該保護部材は、タッチパネルを保護する板である。保護部材は、表示パネル１０のうち映像を表示する面側に設けられる。なお、回路基板４の表面には、当該回路基板４を保護するためのカバーが設けられてもよい。
【００２３】
次に、表示装置１００を構成する上記各部材についてさらに詳細に説明する。
【００２４】
（表示パネル）
表示パネル１０は、透過型または半透過型の液晶パネルである。表示パネル１０は、液晶の複屈折性を応用して映像を表示する。表示パネル１０は、基板１１と、基板１２と、駆動用ＩＣ（Integrated Circuit）１３とを含む。
【００２５】
基板１１は、ガラスなどの絶縁性基板上にカラーフィルタ、遮光層、対向電極等が形成された基板である。基板１２は、ガラスなどの絶縁性基板上にスイッチング素子を利用した画素電極等が行列状に形成された基板である。当該スイッチング素子は、薄膜トランジスタ（Thin Film Transistor）である。以下、薄膜トランジスタを、単に、「ＴＦＴ」ともいう。
【００２６】
駆動用ＩＣ１３は、基板１２の周縁部、または、基板１２の周縁部に接続されたテープ状の配線材料上に配置される。当該配線材料は、ＴＣＰ、ＣＯＦ等である。
【００２７】
また、表示パネル１０には、さらに、図示しない、スペーサ、シール材、液晶、封止材、配向膜、偏光板等が設けられる。スペーサは、基板１１と基板１２との間隔を保持する。シール材は、基板１１と基板１２とを貼り合わせる。液晶は、基板１１と基板１２との間に設けられる。封止材は、液晶を封止する部材である。封止材には、液晶を注入する注入口が設けられる。配向膜は、液晶を配向させる膜である。偏光板は、基板１１および基板１２の外側の面上に配置される。
【００２８】
（バックライト）
バックライト２０は、基板１２側から、表示パネル１０へ光を照射する。バックライト２０は、光源２５と、導光板２３と、光学シート部２２と、反射シート２４と、筐体２１Ｆと、筐体２１Ｂとを含む。
【００２９】
光源２５は、光を出射する。導光板２３は、光源２５が出射した光を特定の方向へ導く。少し具体的には、導光板２３は、光を光学シート部２２へ導くための部材である。具体的には、導光板２３は、出射面２３ａと、反出射面２３ｂと，側面２３ｓとを有する。出射面２３ａは、光が出射される面である。反出射面２３ｂは、導光板２３のうち出射面２３ａと反対側の面である。反出射面２３ｂには、反射シート２４が設けられる。
【００３０】
光源２５が出射する光は、導光板２３の側面２３ｓを介して、導光板２３の内部に伝搬する。導光板２３の内部に伝搬した光は、出射面２３ａからＺ方向へ出射される。すなわち、導光板２３は、光源２５が出射する光を出射面２３ａから出射する。なお、表示パネル１０は、導光板２３の出射面２３ａ側に設けられる。
【００３１】
光学シート部２２は、導光板２３の出射面２３ａ上に設けられる。光学シート部２２は、複数の光学シート２から構成される。なお、光学シート部２２は、１枚の光学シート２から構成されてもよい。すなわち、光学シート部２２は、１以上の光学シート２から構成される。光学シート２は、映像の表示のために使用される、出射面２３ａ（光源２５）が出射する光を透過させる。光学シート２は、ＸＹ面に沿った方向に延在する。
【００３２】
なお、光学シート２は、当該光学シート２の周囲の空気の状態の変化に応じて、伸長するシートである。具体的には、光学シート２は、当該光学シート２の周囲の空気の温度の変化に応じて、伸長する。例えば、光学シート２は、当該光学シート２の周囲の空気の温度が高温になった場合、伸長する。本明細書において、当該高温は、例えば、４０度以上である。
【００３３】
また、光学シート部２２は、導光板２３から出射された光の分布および広がりを制御する。光学シート部２２は、出射面２３ａから出射される光を、表示パネル１０へ出射する。表示パネル１０は、出射面２３ａから出射される光を使用して映像を表示する。
【００３４】
反射シート２４は、導光板２３のうち、反出射面２３ｂ側に設けられる。反射シート２４は、光を反射させるためのシートである。反射シート２４の存在により、導光板２３から−Ｚ方向へ出射した光は、反射シート２４に反射して、再び、導光板２３に入射する。
【００３５】
光源２５、導光板２３、光学シート部２２および反射シート２４は、筐体２１Ｂに収容される。なお、反射シート２４は、筐体２１Ｂの底面に設けられる。導光板２３は、反射シート２４上に設けられる。これにより、導光板２３のＺ軸方向の位置は、筐体２１Ｂの底面、および、反射シート２４により固定される。
【００３６】
筐体２１Ｂは、バックライト２０の背面側に設けられる背面筐体である。筐体２１Ｆは、光学シート部２２を覆うように設けられる。すなわち、筐体２１Ｆは、光学シート部２２を構成する各光学シート２を保持する。筐体２１Ｆは、バックライト２０の前面側に設けられる前面筐体である。
【００３７】
光源２５は、白色光を出射する点状光源である。光源２５は、ＬＥＤ（Light Emitting Diode）、レーザーダイオード（Laser Diode）等である。なお、光源２５は、赤色光（Ｒ），緑色光（Ｇ）および青色光（Ｂ）を出射する光源であってもよい。また、光源２５は、ＲＧＢ以外の色の光を出射する光源であってもよい。
【００３８】
光源２５は、光源基板２６に実装される。光源基板２６は、一般的なガラスエポキシ樹脂をベースに構成された基板、フレキシブルなフラットケーブルを使用した基板等である。なお、光源基板２６は、放熱性を高めるために、金属（例えば、アルミ等）、セラミック等をベースに構成された基板であってもよい。
【００３９】
なお、光源２５は、光源基板２６に実装された点状光源に限定されず、蛍光管ランプ等の線状光源で構成されてもよい。
【００４０】
導光板２３は、透明なアクリル樹脂、ポリカーボネート樹脂、ガラス等で構成される。導光板２３の出射面２３ａおよび出射面２３ｂの両方または一方には、散乱用ドットパターン、プリズム形状部等が形成される。散乱用ドットパターン、プリズム形状部等は、光を出射させるとともに、面内の光の強度分布、光の出射方向を調整するためのものである。
【００４１】
また、導光板２３上には、光の強度分布、光の出射角を調整するために、光学シート部２２が配置されている。光学シート部２２は、前述したように、複数の光学シート２から構成される。
【００４２】
光学シート部２２は、目的に応じて、レンズシート、拡散シート、視野角調整シート等が、必要な枚数だけ配置されて構成される。当該レンズシートは、集光を行うためのシートである。拡散シートは、光の均一化を行うためのシートである。視野角調整シートは、視野角の方向における輝度を調整するためのシートである。すなわち、光学シート部２２を構成する各光学シート２は、レンズシート、拡散シートおよび視野角調整シート等のいずれかである。なお、光学シート部２２は、前述したように、１枚の光学シート２から構成されてもよい。
【００４３】
筐体２１Ｆは、開口Ｈ１を有する。開口Ｈ１は、導光板２３の出射面２３ａから出射される光の経路となる。筐体２１Ｆの上面の周縁には、表示パネル１０が搭載されるとともに、位置決めされている。これにより、表示パネル１０は、筐体２１Ｆに保持される。筐体２１Ｆを構成する材料は、アルミニウム、ステンレス、鉄等の金属、ＰＣ（ポリカーボネート）、ＡＢＳ（アクリロニトリルブタジエンスチレン）等の樹脂材料等である。
【００４４】
平面視（ＸＹ面）における筐体２１Ｆの形状は、額縁状である。また、平面視（ＸＹ面）における筐体２１Ｆの輪郭の形状は、矩形である。
【００４５】
筐体２１Ｂには、光源２５および光源基板２６が位置決めされている。すなわち、筐体２１Ｂは、光源２５および光源基板２６を保持する。光源２５から放出される熱を伝導させるためには、熱伝導性が高い金属を使用することが望ましい。そのため、筐体２１Ｂは、特に、熱伝導性が高いアルミまたはアルミ合金で構成される。この構成により、筐体２１Ｂは、効率よく光源２５からの熱を拡散でき、光源２５の温度を下げることが出来る。これにより、バックライト２０に熱がこもることを防止することができる。
【００４６】
筐体２１Ｆおよび筐体２１Ｂは、一般に、ツメによる引っ掛け構造、ネジ止め等により互いに固定される。これにより、筐体２１Ｆおよび筐体２１Ｂは、光学シート部２２、導光板２３、反射シート２４等を保持する。なお、筐体２１Ｆおよび筐体２１Ｂは、一体で形成されてもよい。
【００４７】
（筐体）
筐体３は、枠状の部材である。筐体３は、表示パネル１０、バックライト２０、タッチパネル（図示せず）、保護部材（図示せず）等を保持する。筐体３は、薄板の金属、樹脂成型品等により構成される。筐体３は、ツメ状の固定構造、ネジ止め等により、バックライトの筐体２１Ｂと固定される。ツメ状の固定構造とは、筐体３および筐体２１Ｂの各々に設けられたツメ状の突起部が、互いに係合する構造である。
【００４８】
筐体３は、一体で形成してもよいし、複数の部材を組み合わせることにより構成してもよい。また、筐体３の側面、正面、背面、あるいは周縁部等に、最終製品への取り付け部（ネジ、取付穴等）を設けてもよい。
【００４９】
（回路基板）
回路基板４は、表示パネル１０および光源２５を電気的な入出力信号により制御する。回路基板４は、通常、ガラスエポキシ等に銅パターンが形成され、当該ガラスエポキシの表面に電子部品がハンダにより実装されて構成される。回路基板４は、主にバックライト２０の裏面側（光が出射されない側）に配置（固定）される。
【００５０】
なお、回路基板４は、ＦＰＣ（Flexible Printed Circuits）上に電子部品を実装することにより、構成されても良い。当該ＦＰＣは、表示パネル１０に接続されたフィルム上の基材に配線を形成したものである。
【００５１】
また、回路基板４を、外部からの圧力、静電気から保護するために、回路基板４に、保護カバー（図示せず）を取り付けても良い。当該保護カバーは、アルミニウム、ステンレス、亜鉛めっき鋼板等の金属、ＰＥＴ（PolyEthylene Terephthalate）等のフィルム状の薄い樹脂等から成る。
【００５２】
なお、金属製の保護カバーを使用する場合、回路基板４と、当該回路基板４上の電子部品との電気的接触を避けるために、回路基板４には、ＰＥＴ等の樹脂製シートが貼り付けられる。これにより、絶縁対策を行うことができる。
【００５３】
（タッチパネル）
タッチパネル（図示せず）は、透明基板と、当該透明基板上に形成された透明電極による回路とにより構成される。タッチパネルは、上記回路により、外部（使用者）から入力された位置座標に関する情報を電気信号に変換する。そして、タッチパネルは、当該電気信号を、タッチパネルの端部に接続された出力配線部を介して最終製品の制御回路へ伝達する。
【００５４】
出力配線部には、薄さと柔軟性による接続の自由度から、フィルム上の基材に配線を形成したＦＰＣ（Flexible Printed Circuits）が用いられる。なお、出力配線部は、ＦＰＣに限定されず、同等の機能、特性を有するものであれば、異なる材料、異なる構造から成るものでもよい。
【００５５】
（保護部材）
保護部材（図示せず）は、タッチパネルの入力面に対する加圧、接触等による損傷、タッチパネルの変形、磨耗、汚れ等を防止するための板である。保護部材は、表示パネル１０のうち映像を表示する面側に設けられる。保護部材は、ガラス、プラスチック等の透明材料から構成される。なお、保護部材の表面または裏面の周縁部には、遮光あるいは意匠上の目的により、印刷により処理が施されてもよい。
【００５６】
（特徴的な構成）
次に、本実施の形態における特徴的な構成について詳細に説明する。図２は、本発明の実施の形態１に係るバックライト２０の斜視図である。バックライト２０は、後述の発光領域Ｒ５０（図示せず）を有する。発光領域Ｒ５０は、バックライト２０が光を出射する領域である。
【００５７】
以下においては、光学シート部２２を構成する複数の光学シート２のうち、最も上の光学シート２を、「光学シート２Ａ」ともいう。また、以下においては、光学シート部２２を構成する複数の光学シート２のうち、光学シート２Ａ以外の光学シート２を、「下部光学シート」ともいう。
【００５８】
図３は、本発明の実施の形態１に係るバックライト２０の一部の拡大図である。図３（ａ）は、図２の領域Ｒ１１の拡大図である。図３（ｂ）は、構成を分かり易くするために、図３（ａ）の構成において筐体２１Ｆを示さないようにした図である。
【００５９】
図４は、本発明の実施の形態１に係るバックライト２０の別の一部の拡大図である。図４（ａ）は、図２の領域Ｒ１２の拡大図である。図４（ｂ）は、構成を分かり易くするために、図４（ａ）の構成において筐体２１Ｆを示さないようにした図である。
【００６０】
図５は、本発明の実施の形態１に係る光学シート２Ａの構成を説明するための図である。なお、図５には、ＸＹ面における前述の発光領域Ｒ５０を示している。以下においては、光学シート２Ａのうち、発光領域Ｒ５０以外の領域を、「シート周縁領域」ともいう。図５（ａ）は、光学シート２Ａの平面図である。図５（ｂ）は、図５（ａ）の領域Ｒ２１の拡大図である。
【００６１】
まず、光学シート２Ａについて説明する。図５を参照して、光学シート２Ａは、突起２ｘを有する。突起２ｘは、光学シート２Ａが延在する方向であって、かつ、当該光学シート２Ａの周辺の方向へ向かって突出するように設けられる。光学シート２Ａが延在する方向は、ＸＹ面（光学シート２Ａの主面）に沿った方向である。
【００６２】
また、平面視（ＸＹ面）における光学シート２Ａの形状は、略矩形である。図５（ａ）のように、平面視（ＸＹ面）において、突起２ｘは、光学シート２Ａの左側の各角部に設けられる。
【００６３】
なお、突起２ｘがＺ軸方向に変形し易くなるように、突起２ｘの根元には、切り欠き２ｘｖが設けられる。これにより、突起２ｘを容易に変形可能なようにすることができる。切り欠き２ｘｖの深さを調整することにより、突起２ｘの柔軟性を調整することができる。
【００６４】
また、光学シート２Ａは、係合部２ｋを有する。係合部２ｋは、詳細は後述するが、当該係合部２ｋが筐体２１Ｂに係合するように設けられる。図５（ａ）のように、平面視（ＸＹ面）において、係合部２ｋは、光学シート２Ａの右側の各角部に設けられる。なお、筐体２１Ｂには、図４（ｂ）のように、係合部２ｋと係合するための切り欠き２１Ｂｖが設けられる。
【００６５】
また、平面視（ＸＹ面）における筐体２１Ｂの形状は、矩形である。切り欠き２１Ｂｖは、平面視（ＸＹ面）において、光学シート２Ａの係合部２ｋが設けられる領域と重なる領域に設けられる。具体的には、切り欠き２１Ｂｖは、平面視（ＸＹ面）において、筐体２１Ｂの右側の各角部に設けられる。
【００６６】
以下においては、筐体２１Ｂのうち、切り欠き２１Ｂｖが設けられた部分を、「切り欠き形成部」ともいう。光学シート２Ａは、図４（ｂ）のように、係合部２ｋが、筐体２１Ｂの切り欠き形成部と係合するように、設けられる。光学シート２Ａの係合部２ｋが、切り欠き形成部と係合することにより、光学シート２Ａの位置決めが行われる。
【００６７】
なお、突起２ｘおよび係合部２ｋが設けられる位置は、図５（ａ）に示される位置に限定されない。突起２ｘは、例えば、平面視（ＸＹ面）において、光学シート２Ａにおいて対角の関係となる２つの角部に設けられてもよい。突起２ｘは、例えば、平面視（ＸＹ面）において、光学シート２Ａの左上の角部と、光学シート２Ａの右下の角部とに設けられてもよい。
【００６８】
詳細は後述するが、バックライト２０は、突起２ｘを変形させる構成を有する押圧部２１Ｆｘを備える。
【００６９】
次に、筐体２１Ｆの構成について詳細に説明する。図６は、筐体２１Ｆの特徴的な構成を説明するための図である。図６（ａ）は、筐体２１Ｆの斜視図である。具体的には、図６（ａ）は、筐体２１Ｆの裏側の構成の斜視図である。図６（ｂ）は、図６（ａ）の領域Ｒ３１の拡大図である。
【００７０】
図６（ａ）および図６（ｂ）を参照して、前述の押圧部２１Ｆｘは、筐体２１Ｆに設けられる。前述したように、平面視（ＸＹ面）における筐体２１Ｆの輪郭の形状は、矩形である。具体的には、平面視（ＸＹ面）において、押圧部２１Ｆｘは、筐体２１Ｆの角部に設けられる。
【００７１】
また、押圧部２１Ｆｘは、平面視（ＸＹ）面において、突起２ｘが設けられる領域と重なる領域に設けられる。すなわち、押圧部２１Ｆｘは、平面視（ＸＹ）面において、突起２ｘが設けられる領域とほぼ同じ領域に設けられる。そのため、図５（ａ）のように、光学シート２Ａに２つの突起２ｘが設けられる場合、筐体２１Ｆの２つの角部には、それぞれ、２つの押圧部２１Ｆｘが設けられる。
【００７２】
ここで、以下の前提Ａ１を考慮する。前提Ａ１では、光学シート部２２は、３枚の光学シート２から構成される。
【００７３】
次に、前提Ａ１における押圧部２１Ｆｘの構成について詳細に説明する。図７は、本発明の実施の形態１に係るバックライト２０の一部の断面図である。図７（ａ）は、図３（ａ）のＡ１−Ａ２線に沿ったバックライト２０の断面図である。図７（ｂ）は、図７（ａ）の領域Ｒ４１の拡大図である。なお、図７（ｂ）では、構成を分かり易くするために、各光学シート２を、間隔をあけてしめしているが、当該各光学シート２は、実際には互いに接している。
【００７４】
図６（ｂ）、図７（ａ）および図７（ｂ）を参照して、前述したように、筐体２１Ｆの角部には、押圧部２１Ｆｘが設けられる。また、前述したように、押圧部２１Ｆｘは、平面視（ＸＹ）面において、突起２ｘが設けられる領域と重なる領域に設けられる。言い換えれば、突起２ｘは、平面視（ＸＹ）面において、押圧部２１Ｆｘが設けられる領域と重なる領域に設けられる。
【００７５】
押圧部２１Ｆｘは、当該押圧部２１Ｆｘの少なくとも一部（後述の傾斜部２１Ｆｓ）が光学シート２Ａの突起２ｘと接触することにより、当該突起２ｘを変形させるように設けられる。
【００７６】
具体的には、押圧部２１Ｆｘは、傾斜部２１Ｆｓと保持部２１Ｆｒとから構成される。すなわち、押圧部２１Ｆｘは、傾斜部２１Ｆｓと保持部２１Ｆｒとを有する。傾斜部２１Ｆｓは、常温の環境において、光学シート２Ａの突起２ｘと接触することにより、当該突起２ｘを変形させるように設けられる。詳細には、傾斜部２１Ｆｓは、光学シート２Ａの突起２ｘと接触することにより、当該突起２ｘが−Ｚ方向へ少しだけ折れまがるように設けられる。
【００７７】
傾斜部２１Ｆｓは、当該傾斜部２１Ｆｓの表面が、ＸＹ平面に対して傾斜するように構成される。傾斜部２１Ｆｓの表面の傾斜角度は、一例として、２度以上である。なお、仮に、傾斜部２１Ｆｓが存在しない場合、突起２ｘと筐体２１Ｆのうち突起２ｘと対向する部分の表面とがフラットになる。この場合、突起２ｘと筐体２１Ｆとの間にすきま（クリアランス）が存在し、突起２ｘが筐体２１Ｆと接触し難い状態となる。
【００７８】
一方、本実施の形態では、上記の傾斜部２１Ｆｓの構成により、傾斜部２１Ｆｓが存在せず、突起２ｘが変形していない構成よりも、傾斜部２１Ｆｓと突起２ｘとの接触面積を増加させることができる。そのため、傾斜部２１Ｆｓと突起２ｘとの摩擦抵抗が増大する。したがって、バックライト２０（表示装置１００）において振動が発生した場合、当該振動により光学シート２Ａが動くことを抑制することができる。
【００７９】
また、光学シート２Ａの突起２ｘが傾斜部２１Ｆｓと接触する構成により、当該光学シート２Ａは、下部光学シートである光学シート２を、僅かな応力で−Ｚ方向へ押圧する。これにより、振動により、下部光学シートである光学シート２が動くことを抑制することができる。
【００８０】
なお、傾斜部２１Ｆｓの表面の傾斜角度を調整する事により、光学シート２Ａの厚みおよびサイズ等に応じた上記の接触面積を調整することができる。
【００８１】
次に、押圧部２１Ｆｘの保持部２１Ｆｒについて説明する。図８は、押圧部２１Ｆｘの保持部２１Ｆｒを説明するための図である。また、図８は、図７（ｂ）に示される構成の一部の形状が変化した状態を示す図である。すなわち、図８は、図７（ｂ）の構成が設けられる位置と同じ位置におけるバックライト２０の構成を示す。
【００８２】
以下においては、光学シート２Ａの周囲の空気を、「周囲空気」ともいう。周囲空気は、表示装置１００の周囲の空気でもある。また、以下においては、周囲空気の温度が高温である状態を、「高温状態」ともいう。当該高温は、前述したように、例えば、４０度以上である。また、周囲空気の温度が高温になることにより、光学シート２Ａまたは下部光学シートである光学シート２が伸長した状態を、「シート伸長状態」ともいう。
【００８３】
表示装置１００が過酷な高温環境で使用された場合、すなわち、周囲空気の温度が高温になった場合、光学シート２Ａおよび下部光学シート（光学シート２）は伸長する。図８では、伸長部２Ａｅ，２ｅが示される。
【００８４】
伸長部２Ａｅは、光学シート２Ａが伸長した場合における、当該光学シート２Ａの伸長した部分である。なお、伸長部２Ａｅは突起２ｘである。伸長部２ｅは、下部光学シートである光学シート２が伸長した場合における、当該光学シート２の伸長した部分である。
【００８５】
保持部２１Ｆｒは、光学シート２Ａが伸長した場合、伸長した当該光学シート２Ａの突起２ｘと接触することにより当該突起２ｘを保持するように設けられる。具体的には、保持部２１Ｆｒは、シート伸長状態において、当該保持部２１Ｆｒが伸長部２Ａｅ（突起２ｘ）と接触することにより、当該伸長部２Ａｅを円弧状に曲げるように構成される。
【００８６】
以下においては、光学シート２Ａの伸長に起因する不具合を、「不具合Ｄｆ」ともいう。保持部２１Ｆｒは、不具合Ｄｆの発生を抑制することができる。不具合Ｄｆは、例えば、光学シート２Ａにしわが発生するという不具合である。また、不具合Ｄｆは、例えば、光学シート２Ａ（伸長部２Ａｅ）が鋭角に曲がるという不具合である。
【００８７】
具体的には、保持部２１Ｆｒは、図７（ｂ）および図８のように、曲面２１Ｆｒｓを有する。曲面２１Ｆｒｓは、シート伸長状態において、当該曲面２１Ｆｒｓが伸長部２Ａｅ（突起２ｘ）と接触することにより、当該伸長部２Ａｅを円弧状に曲げるように設けられる。
【００８８】
曲面２１Ｆｒｓは、不具合Ｄｆの発生を防ぐために、緩やかに曲がる面で構成される。すなわち、曲面２１Ｆｒｓの曲率半径は、不具合Ｄｆの発生を防ぐための半径に設定される。また、曲面２１Ｆｒｓの円弧長は、高温状態において、光学シート２Ａが伸長する最大の長さ以上の長さに設定される。
【００８９】
上記のように、保持部２１Ｆｒが構成されることにより、光学シート２Ａが伸長した場合においても、光学シート２Ａを安定して保持することができる。
【００９０】
次に、突起２ｘが設けられる領域について説明する。上記のように、傾斜部２１Ｆｓおよび保持部２１Ｆｒにより、突起２ｘ（光学シート２Ａ）は保持されるとともに、位置決めされる。そのため、平面視（ＸＹ）面において、変形した突起２ｘが発光領域Ｒ５０内に入らないように、突起２ｘは設けられる。
【００９１】
具体的には、図５を参照して、突起２ｘは、光学シート２Ａのうち、発光領域Ｒ５０以外の前述のシート周縁領域に設けられる。これにより、平面視（ＸＹ）面において、傾斜部２１Ｆｓ、保持部２１Ｆｒ等により、変形した突起２ｘが発光領域Ｒ５０内に入ることを防ぐことができる。なお、前述したように、表示装置１００は、バックライト２０が出射する光を使用して映像を表示する。なお、突起２ｘが、仮に発光領域Ｒ５０内に存在する場合、バックライト２０が出射する光の一部が突起２ｘにより遮られる。この場合、表示装置１００が表示する映像の品質が低下する。
【００９２】
そこで、上記のように、突起２ｘが発光領域Ｒ５０内に入ることを防ぐように構成されるため、表示装置１００が表示する映像の品質が低下することを防ぐことができる。
【００９３】
以下においては、平面視（ＸＹ）面において、突起２ｘが存在しない領域を、「突起無し領域」ともいう。
【００９４】
次に、表示装置１００の突起無し領域について説明する。表示装置１００の突起無し領域は、以下のように構成される。図９は、突起無し領域の構成を示す図である。また、図９は、図３（ａ）のＢ１−Ｂ２線に沿ったバックライト２０の断面図である。
【００９５】
図９を参照して、突起無し領域では、筐体２１Ｆに壁部２１Ｆｗが設けられる。壁部２１Ｆｗは、筐体２１Ｆと壁部２１Ｆｗとにより、各光学シート２の端部を収容するように設けられる。また、壁部２１Ｆｗは、当該壁部２１Ｆｗと各光学シート２との間に空間ＳＰ１（クリアランス）が存在するように、筐体２１Ｆに設けられる。空間ＳＰ１のサイズは、高温状態において、各光学シート２が最大限に伸長した場合においても、当該各光学シート２が壁部２１Ｆｗと接触しないサイズに設定される。
【００９６】
以上説明したように、本実施の形態によれば、バックライト２０は、光学シート２Ａと、押圧部２１Ｆｘとを備える。押圧部２１Ｆｘは、光学シート２Ａが伸長した場合、伸長した当該光学シート２Ａの突起２ｘと接触することにより当該突起２ｘを保持する保持部２１Ｆｒを有する。
【００９７】
これにより、光学シート２Ａが伸長した場合、保持部２１Ｆｒにより、突起２ｘが保持される。そのため、光学シート２Ａが伸長した場合においても、当該光学シート２Ａを安定して保持することができる。
【００９８】
また、本実施の形態によれば、押圧部２１Ｆｘの傾斜部２１Ｆｓは、光学シート２Ａの突起２ｘと接触することにより、当該突起２ｘを変形させるように設けられる。そのため、傾斜部２１Ｆｓと突起２ｘとの接触面積を増加させることができる。したがって、バックライト２０（表示装置１００）において振動が発生した場合、当該振動により光学シート２Ａが動くことを抑制することができる。
【００９９】
また、本実施の形態によれば、押圧部２１Ｆｘの保持部２１Ｆｒは、光学シート２Ａが伸長した場合、伸長した当該光学シート２Ａの突起２ｘと接触することにより当該突起２ｘを保持するように設けられる。これにより、保持部２１Ｆｒは、前述の不具合Ｄｆの発生を抑制することができる。不具合Ｄｆは、例えば、光学シート２Ａにしわが発生するという不具合である。また、傾斜部２１Ｆｓおよび保持部２１Ｆｒにより、突起２ｘ（光学シート２Ａ）は保持されるとともに、位置決めされる。
【０１００】
表示装置１００は、上記の構成を有するバックライト２０を備える。そのため、過酷な温度環境、振動環境等で表示装置が使用される場合でも、表示される映像の品質を安定的に維持するとともに、光学シート２を安定して保持（固定）し、当該光学シート２の位置決めを行うことができる。
【０１０１】
なお、突起２ｘは光学シート２Ａの２つの角部に設ける構成としたがこれに限定されない。突起２ｘは、例えば、平面視（ＸＹ面）において、光学シート２Ａの４つの角部全てに設けられてもよい。これにより、光学シート２Ａの位置決めの精度を向上させることができるとともに、筐体２１Ｆが、突起２ｘを確実に保持することができる。
【０１０２】
なお、車載用の表示装置または建設機械の表示装置よりも小型の携帯用表示装置が使用される環境は、車載用の表示装置または建設機械の表示装置が使用される環境よりも過酷な環境でない。そのため、当該携帯用表示装置が使用される温度範囲、当該携帯用表示装置の耐振動性については、厳しい条件が求められない。したがって、当該携帯用表示装置で使用される光学シートの、温度変化による伸縮量は非常に小さい。そのため、当該携帯用表示装置で使用される光学シートにおいては、しわ、撓み等が発生し難い。
【０１０３】
一方、車載用の表示装置または建設機械の表示装置等は、過酷な環境下で使用される場合が多い。この場合、過酷な環境、例えば、高温の空間で使用される表示装置においては、光学シートが伸長し、当該光学シートにしわ、撓み等が発生する。
【０１０４】
また、小型の携帯用表示装置で使用される小型の光学シートは薄い。そのため、当該光学シートの端部は、容易に曲げる事が可能である。中型サイズ、大型サイズ等の表示装置では、しわ、撓み等の発生を防ぐために、十分な厚さを有する光学シートが使用される。そのため、当該中型サイズ、大型サイズ等の表示装置では、当該光学シートが、大きな応力で変形させた状態で固定される。したがって、当該光学シートには、温度変化によるしわが発生するという問題がある。
【０１０５】
そこで、本実施の形態のバックライト２０は上記のように構成されるため、バックライト２０を備える表示装置１００は、上記の問題を解決することができる。すなわち、過酷な温度環境または過酷な振動環境で表示装置１００が使用される場合においても、温度変化による光学シートの伸びに起因するしわの発生を防止することができる。そのため、表示装置１００が表示する映像の品質を安定的に維持するができる。
【０１０６】
＜実施の形態１の変形例＞
前述の実施の形態１のバックライト２０は、以下の構成（以下、「構成Ｎ１」ともいう）を有する。構成Ｎ１では、前述したように、平面視（ＸＹ面）において、突起２ｘは、光学シート２Ａの角部に設けられる。また、構成Ｎ１では、前述したように、平面視（ＸＹ面）において、押圧部２１Ｆｘは、筐体２１Ｆの角部に設けられる。
【０１０７】
なお、バックライト２０の筐体２１Ｆが、光学シート２Ａの角部に突起２ｘを設けるためのスペースを確保することが困難な形状またはサイズを有する場合がある。本実施の形態の変形例の構成は、光学シート２Ａの角部以外の部分に突起が設けられる構成（以下、「変形構成Ａ１」ともいう）である。
【０１０８】
以下においては、変形構成Ａ１が適用された光学シート２Ａを、「光学シート２Ａａ」ともいう。図１０は、本発明の実施の形態１の変形例に係る光学シート２Ａａの構成を説明するための図である。図１０（ａ）は、光学シート２Ａａの平面図である。図１０（ｂ）は、図１０（ａ）の領域Ｒ５１，Ｒ５２の拡大図である。
【０１０９】
図１０（ａ）および図１０（ｂ）を参照して、平面視（ＸＹ面）における光学シート２Ａａの形状は、略矩形である。光学シート２Ａａは、複数の突起２ｘａを有する。具体的には、平面視（ＸＹ面）における光学シート２Ａａの一辺（左辺）側には、２つの突起２ｘａが設けられる。当該各突起２ｘａは、光学シート２Ａａの一辺の中央部に設けられる。
【０１１０】
平面視（ＸＹ面）における突起２ｘａの形状は、Ｔ字状である。そのため、突起２ｘａの根元には、切り欠き２ｘａｖが設けられる。切り欠き２ｘａｖにより、突起２ｘａを容易に変形可能なようにすることができる。
【０１１１】
なお、平面視（ＸＹ面）における光学シート２Ａａの一辺側に設けられる突起２ｘａの数は２に限定されず、１または３以上であってもよい。
【０１１２】
また、各突起２ｘａは、光学シート２Ａａが延在する方向であって、かつ、当該光学シート２Ａａの周辺の方向へ向かって突出するように設けられる。光学シート２Ａａが延在する方向は、ＸＹ面（光学シート２Ａａの主面）に沿った方向である。
【０１１３】
また、変形構成Ａ１が適用された筐体２１Ｆには、平面視（ＸＹ）面において、突起２ｘが設けられる領域と重なる領域に押圧部２１Ｆｘが設けられる。言い換えれば、突起２ｘａは、平面視（ＸＹ）面において、押圧部２１Ｆｘが設けられる領域と重なる領域に設けられる。前述したように、平面視（ＸＹ面）における筐体２１Ｆの輪郭の形状は、矩形である。そのため、平面視（ＸＹ面）において、押圧部２１Ｆｘは、筐体２１Ｆが示す矩形の一辺側に設けられる。
【０１１４】
変形構成Ａ１においても、押圧部２１Ｆｘは、当該押圧部２１Ｆｘの少なくとも一部（傾斜部２１Ｆｓ）が光学シート２Ａの突起２ｘと接触することにより、当該突起２ｘを変形させるように設けられる。また、傾斜部２１Ｆｓは、光学シート２Ａの突起２ｘと接触することにより、当該突起２ｘを変形させるように設けられる。
【０１１５】
なお、光学シート２Ａａには、図５の光学シート２Ａと同様に、係合部２ｋ（図示せず）が設けられる。これにより、光学シート２Ａａは固定される。
【０１１６】
なお、光学シート２Ａａに係合部２ｋを設けない構成としてもよい。当該構成では、平面視（ＸＹ面）における光学シート２Ａａが示す矩形の左辺以外の３辺にも、図１０と同様に、突起２ｘａが設けられる。
【０１１７】
以上説明したように、本実施の形態の変形例においても、変形構成Ａ１により、実施の形態１と同じ効果が得られる。
【０１１８】
＜実施の形態２＞
実施の形態１、および、実施の形態１の変形例では、押圧部２１Ｆｘが筐体２１Ｆに設けられる。本実施の形態の構成は、押圧部が反射シートに設けられる構成（以下、「変形構成Ｂ１」ともいう）である。
【０１１９】
以下においては、変形構成Ｂ１が適用されたバックライトを、「バックライト２０Ａ」ともいう。また、以下においては、変形構成Ｂ１が適用された表示装置を、「表示装置１００Ａ」ともいう。
【０１２０】
表示装置１００Ａは、図１の表示装置１００と比較して、バックライト２０の代わりにバックライト２０Ａを備える点が異なる。表示装置１００Ａのそれ以外の構成は、表示装置１００と同様なので詳細な説明は繰り返さない。
【０１２１】
バックライト２０Ａは、図１のバックライト２０と比較して、反射シート２４の代わりに反射シート２４Ａを備える点が異なる。バックライト２０Ａのそれ以外の構成は、バックライト２０と同様なので詳細な説明は繰り返さない。
【０１２２】
反射シート２４Ａは、反射シート２４と比較して、形状のみが異なる。反射シート２４Ａのそれ以外の機能は反射シート２４と同様なので詳細な説明は繰り返さない。すなわち、反射シート２４Ａは、光を反射させるためのシートである。
【０１２３】
図１１は、本発明の実施の形態２に係る表示装置１００Ａに含まれるバックライト２０Ａの一部の断面図である。図１１は、図７（ａ）の構成が設けられる位置と同じ位置におけるバックライト２０Ａの構成を示す。すなわち、図１１は、図３（ａ）のＡ１−Ａ２線に沿った、変形構成Ｂ１が適用されたバックライト２０Ａの断面図である。
【０１２４】
図１１を参照して、反射シート２４Ａは、押圧部２１Ｆｘａを有する。具体的には、反射シート２４Ａの端部は屈曲している。反射シート２４Ａの端部は、押圧部２１Ｆｘａを有する。
【０１２５】
押圧部２１Ｆｘａは、平面視（ＸＹ）面において、突起２ｘが設けられる領域と重なる領域に設けられる。言い換えれば、突起２ｘは、平面視（ＸＹ）面において、押圧部２１Ｆｘａが設けられる領域と重なる領域に設けられる。
【０１２６】
また、押圧部２１Ｆｘａは、押圧部２１Ｆｘと同じ機能を有する。具体的には、押圧部２１Ｆｘａは、当該押圧部２１Ｆｘａの少なくとも一部（後述の傾斜部２１Ｆｓａ）が光学シート２Ａの突起２ｘと接触することにより、当該突起２ｘを変形させるように設けられる。
【０１２７】
具体的には、押圧部２１Ｆｘａは、傾斜部２１Ｆｓａと保持部２１Ｆｒａとから構成される。すなわち、押圧部２１Ｆｘａは、傾斜部２１Ｆｓａと保持部２１Ｆｒａとを有する。傾斜部２１Ｆｓａは、図７（ｂ）の傾斜部２１Ｆｓと同じ機能を有する。すなわち、傾斜部２１Ｆｓａは、常温の環境において、光学シート２Ａの突起２ｘと接触することにより、当該突起２ｘを変形させるように設けられる。
【０１２８】
また、保持部２１Ｆｒａは、図８の保持部２１Ｆｒと同じ機能を有する。すなわち、保持部２１Ｆｒａは、光学シート２Ａが伸長した場合、伸長した当該光学シート２Ａの突起２ｘと接触することにより当該突起２ｘを保持するように設けられる。
【０１２９】
以上説明したように、本実施の形態においても、変形構成Ｂ１により、実施の形態１と同じ効果が得られる。
【０１３０】
なお、本発明は、その発明の範囲内において、各実施の形態、各実施の形態の変形例を自由に組み合わせたり、各実施の形態、各実施の形態の変形例を適宜、変形、省略することが可能である。
【０１３１】
例えば、実施の形態１の変形例の変形構成Ａ１を、変形構成Ｂ１に適用した構成（以下、「変形構成Ａｂ」ともいう）としてもよい。変形構成Ａｂが適用されたバックライト２０Ａは、光学シート２Ａの代わりに、図１０の光学シート２Ａａを含む。すなわち、変形構成Ａｂが適用されたバックライト２０Ａは、突起２ｘａを有する光学シート２Ａａを含む。また、変形構成Ａｂが適用されたバックライト２０Ａは、図１１の反射シート２４Ａを備える。
【０１３２】
変形構成Ａｂでは、突起２ｘａは、平面視（ＸＹ）面において、押圧部２１Ｆｘａが設けられる領域と重なる領域に設けられる。なお、平面視（ＸＹ面）における筐体２１Ｆの輪郭の形状は、矩形である。そのため、平面視（ＸＹ面）において、押圧部２１Ｆｘａは、筐体２１Ｆが示す矩形の一辺側に設けられる。
【０１３３】
また、変形構成Ａｂでは、押圧部２１Ｆｘａは、当該押圧部２１Ｆｘａの少なくとも一部（傾斜部２１Ｆｓａ）が光学シート２Ａａの突起２ｘａと接触することにより、当該突起２ｘａを変形させるように設けられる。
【０１３４】
また、変形構成Ａｂでは、保持部２１Ｆｒａは、光学シート２Ａａが伸長した場合、伸長した当該光学シート２Ａａの突起２ｘａと接触することにより当該突起２ｘａを保持するように設けられる。
【０１３５】
以上の変形構成Ａｂにおいても、実施の形態１と同じ効果が得られる。
【符号の説明】
【０１３６】
２，２Ａ，２Ａａ  光学シート、２ｘ，２ｘａ  突起、２ｘｖ，２ｘａｖ，２１Ｂｖ  切り欠き、３，２１Ｂ，２１Ｆ  筐体、１０  表示パネル、２０，２０Ａ  バックライト、２１Ｆｓ，Ｆｓａ  傾斜部、２１Ｆｒ，Ｆｒａ  保持部、２１Ｆｘ，２１Ｆｘａ  押圧部、２２  光学シート部、２４，２４Ａ  反射シート、２５  光源、１００，１００Ａ  表示装置。
【図１】
2016207329.tif 000003
【図２】
2016207329.tif 000004
【図３】
2016207329.tif 000005
【図４】
2016207329.tif 000006
【図５】
2016207329.tif 000007
【図６】
2016207329.tif 000008
【図７】
2016207329.tif 000009
【図８】
2016207329.tif 000010
【図９】
2016207329.tif 000011
【図１０】
2016207329.tif 000012
【図１１】
2016207329.tif 000013